(57)【要約】【課題】      身体機能が虚弱化した高齢者や疾患者が、ベッド上で上下肢の筋力強化及び上下肢・関節可動域の維持と向上を図ることができる筋力訓練装置を提供する。【解決手段】  ベッド１０の両側にはサイドレール１１が設けられている。２０は略「Ｕ」字状をしたフレームで、両側の支柱２１と、支柱２１の上端間を一体に連結した円柱状の天棒２２とが形成されて、支柱２１がサイドレール１１に取付られている。天棒２２にはスライド受金具３０が摺動自在に被嵌されている。スライド受金具３０の下面にはＳカンフック４０が設けられている。Ｓカンフック４０には上肢訓練用具５０が吊り下げられている。上肢訓練用具５０は、滑車５１と、滑車ロープ５２と、Ｓカンフック５３と、吊ベルト５４と、自在木５５とで構成されている。【選択図】        図１
2006311874.tif 000002
【特許請求の範囲】
【請求項１】
ベッドの両側に設けられたサイドレールに固定される支柱と、該支柱の上端間に設けられた天棒と、該天棒に摺動自在に設けられたスライド受金具と、該スライド受金具を天棒の任意の位置に固定する固定部材と、該スライド受金具に設けられ訓練用具を着脱自在に取付ける吊金具と、該吊金具に取付けられた訓練用具とを有することを特徴とする筋力訓練装置。
【請求項２】
前記訓練用具が、前記吊金具に取付けられた滑車と、該滑車に巻回された滑車ロープと、該滑車ロープに設けられ吊ベルトを着脱自在に取付けるベルト取付金具と、該ベルト取付金具に取付けられる吊ベルトとを有する滑車式訓練用具であることを特徴とする請求項１記載の筋力訓練装置。
【請求項３】
前記滑車式訓練用具において、少なくとも２つ以上の貫通孔が形成された自在木が設けられ、前記滑車ロープの一端側が自在木の貫通孔を通過した後自在木に取付けられ、該貫通孔と自在木に取付けられた一端の間においてベルト取付金具が滑車ロープを移動自在に設けられるとともに、滑車ロープの他端に取付金具が設けられていることを特徴とする請求項２記載の筋力訓練装置。
【請求項４】
前記吊ベルトが、ベルト本体と、該ベルト本体の両端に設けられた端リングと、該リング間におけるベルト本体に設けられた中間リングとを有することを特徴とする請求項２又は３記載の筋力訓練装置。
【請求項５】
前記訓練用具が、前記吊金具に取付けられたロープと、該ロープに設けられた握りベルとを有するロープ式訓練用具であることを特徴とする請求項１記載の筋力訓練装置。
【請求項６】
前記ロープが弾性部材であることを特徴とする請求項５記載の筋力訓練装置。
【発明の詳細な説明】
【技術分野】
【０００１】
本発明は、老人又は病後の人が、下肢又は上肢の筋力を回復又は維持するために用いる筋力訓練装置に関し、さらに詳しくはベッドに着脱自在とした筋力訓練装置に関するものである。
【背景技術】
【０００２】
心筋梗塞や脳梗塞で倒れた場合、その低下した身体機能を回復するためにリハビリテーションが行なわれている。リハビリテーションは、一般的にはリハビリ室で実施されるが、身体機能が虚弱化した高齢者や疾患者は、リハビリ室での訓練が容易で無い場合がある。そのような患者は安静を旨として寝たきりの状態にさせられ、身体機能の更なる悪化に繋がる。従って、如何なる場合であろうとも、常に身体を動かし、活動的な心身機能の向上に努めることが寝たきり予防の第一歩である。そこで、ベッドからの移乗が出来ない患者であっても、そのベッド上で必要な運動を行なうことにより、身体機能の維持向上を図ることが重要である。
【０００３】
従来、ベッド上で身体機能の維持向上を図るために使用する装置としては、ベッドの両サイドの孔に立てる支柱と、滑車を吊り下げる平行棒と、支柱と平行棒とをつなぐ継金具と、平行棒に取付ける滑車留め金具と、滑車留め金具につける滑車と、足を置く足置きカバーと、足置きカバーを滑車を通して上下させる引っ張り綱と、足置きカバーと引っ張り綱を引っ掛ける掛け金具とからなる足の筋力回復訓練機が提案されていた（例えば、特許文献１参照）
【特許文献１】特開２０００−２９６１５９号公報
【発明の開示】
【発明が解決しようとする課題】
【０００４】
しかしながら、上述した特許文献１で開示された足の筋力回復訓練機は、下肢筋力の強化のみを目的としているため、上肢筋力の強化及び上下肢・関節可動域の維持と向上、作業療法の訓練等ができないものであった。また、滑車留め金具は平行棒に固定されているので、足置きカバーが常に同じ位置にあるものである。したがって、足の間隔を体格の異なるあらゆる被介護人に常に最適の状態とすることができず、また、脚を広げた状態や、脚を狭めた状態などの種々の態様で運動することができないものであった。
【０００５】
本発明は以上の問題点を解決し、上下肢の筋力強化及び上下肢・関節可動域の維持と向上、作業療法の訓練等を行うことができ、また、被介護人の体格及び種々の態様で運動することができる筋力訓練装置を提供することを目的とする。
【課題を解決するための手段】
【０００６】
請求項１に係る筋力訓練装置は、ベッドの両側に設けられたサイドレールに固定される支柱と、該支柱の上端間に設けられた天棒と、該天棒に摺動自在に設けられたスライド受金具と、該スライド受金具を天棒の任意の位置に固定する固定部材と、該スライド受金具に設けられ訓練用具を着脱自在に取付ける吊金具と、該吊金具に取付けられた訓練用具とを有することを特徴として構成されている。
【０００７】
請求項２に係る筋力訓練装置は、請求項１に係る筋力訓練装置において、前記訓練用具が、前記吊金具に取付けられた滑車と、該滑車に巻回された滑車ロープと、該滑車ロープに設けられ吊ベルトを着脱自在に取付けるベルト取付金具と、該ベルト取付金具に取付けられる吊ベルトとを有する滑車式訓練用具であることを特徴として構成されている。
【０００８】
請求項３に係る筋力訓練装置は、請求項２に係る筋力訓練装置において、前記滑車式訓練用具において、少なくとも２つ以上の貫通孔が形成された自在木が設けられ、前記滑車ロープの一端側が自在木の貫通孔を通過した後自在木に取付けられ、該貫通孔と自在木に取付けられた一端の間においてベルト取付金具が滑車ロープを移動自在に設けられるとともに、滑車ロープの他端に取付金具が設けられていることを特徴として構成されている。
【０００９】
請求項４に係る筋力訓練装置は、請求項２又は３記載の筋力訓練装置において、前記吊ベルトが、ベルト本体と、該ベルト本体の両端に設けられた端リングと、該リング間におけるベルト本体に設けられた中間リングとを有することを特徴として構成されている。
【００１０】
請求項５に係る筋力訓練装置は、請求項１記載の筋力訓練装置において、前記訓練用具が、前記吊金具に取付けられたロープと、該ロープに設けられた握りベルとを有するロープ式訓練用具であることを特徴として構成されている。
【００１１】
請求項６に係る筋力訓練装置は、請求項５記載の筋力訓練装置において、前記ロープが弾性部材であることを特徴として構成されている。
【発明の効果】
【００１２】
請求項１に係る筋力訓練装置においては、スライド受金具を滑らせて天棒上の任意の位置に配置し、固定部材で天棒に固定することができるので、訓練用具をベッドの巾方向において任意の位置に配置することができる。したがって、訓練の種々の態様に対応することができる。例えば、右腕の訓練をする場合は、スライド受金具を右側にスライドさせて固定部材で固定することにより、右腕の訓練に最適な位置に訓練用具を配置することができる。また、スライド受金具には訓練用具を着脱自在に取付けることができるので、異なる訓練用具を取付けることにより、各種訓練を一台の装置で行なうことができる。さらに、訓練用具の破損等により交換が必要になっても、訓練用具のみを新たにすればよいく、保守費用を安価にできるものである。
【００１３】
請求項２に係る筋力訓練装置においては、訓練用具が、前記吊金具に取付けられた滑車と、該滑車に巻回された滑車ロープと、該滑車ロープに設けられ吊ベルトを着脱自在に取付けるベルト取付金具と、該ベルト取付金具に取付けられる吊ベルトとを有する滑車式訓練用具であるので、吊ベルトを握り又は吊ベルトに足を吊るし、交互に上下動させることにより上肢又は下肢関節可動域の改善と筋力を強化することができる。
【００１４】
請求項３に係る筋力訓練装置においては、滑車式訓練用具において、少なくとも２つ以上の貫通孔が形成された自在木が設けられ、前記滑車ロープの一端側が自在木の貫通孔を通過した後自在木に取付けられ、該貫通孔と自在木に取付けられた一端の間においてベルト取付金具が滑車ロープを移動自在に設けられるとともに、滑車ロープの他端に取付金具が設けられているので、滑車ロープの自在木を通過させた長さを変更することにより、吊金具から吊ベルトまでの長さを任意に変更することができるので、常に最適な滑車ロープの長さで訓練できるものである。
【００１５】
請求項４に係る筋力訓練装置においては、吊ベルトを、ベルト本体と、該ベルト本体の両端に設けられた端リングと、該リング間におけるベルト本体に設けられた中間リングとで構成しているので、吊ベルトの両端のリングをベルト取付金具に取付けて大きな輪状にする態様、吊ベルトを半分に折り、一方に集めた２つの端リングと折目に位置した中間リングをベルト取付金具に取付けて小さな輪状にする態様、中間リングを吊金具に取付けるとともに、吊ベルトの両端部を端リングに通過させて両端に小さな輪を形成する態様とすることができる。したがって、第１の態様にように大きな輪状にした場合は足を入れるのに好適であり、第２の態様のように小さな輪状にした場合は手で握るのに好適であり、第３の態様のように両端に小さな輪を２つ形成した場合は、麻痺等で握る事の出来ない手を載せるのに好適である。
【００１６】
請求項５に係る筋力訓練装置においては、訓練用具が、前記吊金具に取付けられたロープと、該ロープに設けられた吊ベルトを有するロープ式訓練用具であるので、両腕の訓練を同時に行なうことができる。
【００１７】
請求項６に係る筋力訓練装置においては、ロープが弾性部材であるので、伸び縮みしないロープに比べ、両腕に作用する負荷が小さい状態で訓練することができる。
【発明を実施するための最良の形態】
【００１８】
本発明の筋力訓練装置においては、スライド受金具に設けた吊金具に訓練用具を取付けるもので、訓練用具としては、特に限定されず、滑車を用いたもの、ロープを用いたもの、バネを用いたもの、ゴムを用いたもの等、各種訓練用具を用いることができる。
【００１９】
天棒の高さは１３５〜１４５ｃｍの範囲が好ましく、１３５ｃｍより低いと下肢の運動を円滑に行なえず、また１４５ｃｍより高いとベッドの高さ調整機能との関係で天井に届く場合がある。
【００２０】
訓練用具を着脱自在に取付ける吊金具は、特に限定されるものでなく、Ｓカンフック、カラビナ等を用いることができる。また、吊ベルトを着脱自在に取付けるベルト取付金具も特に限定されるものでなく、Ｓカンフック、カラビナ等を用いることができる。
【００２１】
本発明による筋力訓練装置の一実施形態を図面を参照して説明する。
【００２２】
図１は筋力訓練装置の全体を示す斜視図、図２は筋力訓練装置のベッドへの取付部分の斜視図、図３も筋力訓練装置のベッドへの取付部分の斜視図、図４は筋力訓練装置のスライド受金具のスライド状態を示す正面図、図５は筋力訓練装置のスライド受金具部分の斜視図、図６は筋力訓練装置の吊金具部分の斜視図、図７は筋力訓練装置の吊ベルトの斜視図である。
【００２３】
図１において、１０はベッドで、このベッド１０の両側にはサイドレール１１が設けられており、このサイドレール１１には、図２及び図３に示すように、テーブルや介助バーを取付けるための取付孔１２が形成されている。
【００２４】
２０は略「Ｕ」字状をしたフレームで、両側の支柱２１と、支柱２１の上端間を一体に連結した円柱状の天棒２２とが形成され、支柱２１の下端部にはサイドレール１１の取付孔１２に嵌合させる取付パイプ２３が形成されている。この取付パイプ２３は、図２及び図３に示すように、上下に貫通した円筒状に形成されるとともに、その下端面は斜めに切断されて斜面となっており、固定部材２４で取付孔１２に固定するものである。この固定部材２４は、取付パイプ２３の上部に設けられた雌ねじ部材２４１と、取付パイプ２３の下方に設けられた雄ねじ部材２４２とからなっている。雌ねじ部材２４１は握り部２４３と、握り部２４３の下面に形成された円柱部２４４と、円柱部２４４の下面に形成されたねじ孔２４５とからなり、また、雄ねじ部材２４２は上面が斜に切断されて斜面となっている円柱上の圧接部２４６と、圧接部２４６の上面に設けられたねじ２４７とからなり、前記円柱部２４４とねじ２４７とは取付パイプ２３の内部に配置されている。
【００２５】
固定部材２４で取付パイプ２３を取付孔１２に固定するには、図２に示すように、ねじ孔２４５とねじ２４７とが非螺着状態において、握り部２４３を回しながら押込む。すると、ねじ孔２４５とねじ２４７とが螺着し、圧接部２４６が上昇して行くが、圧接部２４６の上面が円柱部２４４の下面に当接すると、ねじ２４７が湾曲しつつ圧接部２４６が取付パイプ２３の下面に沿って斜上方へ移動して行き、図３に示すように、圧接部２４６が取付孔１２に圧接する。これにより取付パイプ２３が取付孔１２に固定されることとなる。
【００２６】
天棒２２にはスライド受金具３０が摺動自在に被嵌されており、このスライド受金具３０の両側にはスライド受金具３０を天棒２２に固定するための固定部材３１が設けられている。この固定部材３１は、切込みが形成され天棒２２より若干径の短い円筒状の筒部３２と、この筒部３２を締め付けて天棒２２に固定するねじ３３とからなっている。したがって、図４に示すように、スライド受金具３０をスライドさせて天棒２２の任意の箇所に固定することができる。
【００２７】
前記スライド受金具３０の下面には吊金具としてのＳカンフック４０が設けられている。このＳカンフック４０は、図６に示すように、回動自在な係止片４１が設けられ、訓練用具を着脱自在に取り付けることができるようになっている。このＳカンフック４０には、滑車式訓練用具としての上肢訓練用具５０が吊り下げられている。
【００２８】
上肢訓練用具５０は、Ｓカンフック４０に着脱自在に取付けられた滑車５１と、この滑車５１に巻回された滑車ロープ５２とが設けられ、この滑車ロープ５２の一端にはベルト取付金具としてのＳカンフック５３が設けられ、このＳカンフック５３に着脱自在に吊ベルト５４が取付けられている。また、滑車ロープ５２の他端は、自在木５５に取付けられて滑車ロープ５２の長さを調整できるようになっている。すなわち、自在木５５は２つの貫通孔５６ａ、５６ｂが形成されており、滑車ロープ５２の他端が、自在木５５の貫通孔５６ａを通った後、貫通孔５６ｂに取り付けられており、この貫通孔５６ａと貫通孔５６ｂとの間の滑車ロープ５２にベルト取付金具としてのＳカンフック５７が取付けられ、さらに、このＳカンフック５７に吊ベルト５４が取付けられている。
【００２９】
吊ベルト５４は、図７に示すように、ベルト本体５４１と、ベルト本体５４１の両端に取付けられた端リング５４２と、端リング５４２の間に設けられた中間リング５４３とから構成されている。そして、ベルト本体５４１を二つに折り曲げ、２つの端リング５４２と中間リング５４３とをＳカンフック５３に取付けている。
【００３０】
以上のような筋力訓練装置においては、図１に示すように、左右の吊ベルト５４を握り、交互に引き付けることにより上肢の訓練をするものである。この訓練においては両方の手を使用して訓練をするので、スライド受金具３０を天棒２２の略中央に配置しており、また、自在木５５の貫通孔５６ａと貫通孔５６ｂとの間の滑車ロープ５２の長さを調整し、上肢の訓練に最適な長さにしてある。
【００３１】
図８は筋力訓練の他の態様を示した斜視図である。図８に示す筋力訓練においては、滑車ロープ５２に取付けた一方のＳカンフック５７に、吊ベルト５４の中間リング５４３を取付けるとともに、ベルト本体５４１を端リング５４２を通して環状部５４５を形成し、また、他方のＳカンフック５３に、ベルト本体５４１を二つに折り曲げ、２つの端リング５４２と中間リング５４３とを取付けて環状部５４６を形成し、これら３つの環状部５４５、５４５、５４６に手及び腕を吊り下げるものである。そして、この状態で腕を水平方向に動かして訓練する。その他の構成は、図１に示した実施態様と略同一である。
【００３２】
図９も筋力訓練の他の態様を示した斜視図である。図９に示す筋力訓練においては、図１に示す筋力訓練装置と略同様な構成であり、吊ベルト５４を手で握る替わりに足首の近傍を吊ベルト５４に吊り、脚を交互に上下動させるものである。なお、自在木５５により、滑車ロープ５２の長さを適切な長さに調整してある。
【００３３】
図１０も筋力訓練の他の態様を示した斜視図である。図１０に示す筋力訓練においては、滑車式訓練用具の替わりにロープを用いたもので、吊金具としてのＳカンフック４０に環状のロープ６１が２本取り付けられており、このロープ６１にベルト取付金具としてのＳカンフック６２が取付けられ、さらにこのＳカンフック６２に吊ベルト６３が取付けられている。そして、吊ベルト６３を両手で握り、交互に引っ張ることにより訓練するものである。
【図面の簡単な説明】
【００３４】
【図１】本発明による筋力訓練装置の全体を示す斜視図
【図２】本発明による筋力訓練装置のベッドへの取付部分の斜視図
【図３】本発明による筋力訓練装置のベッドへの取付部分の斜視図
【図４】本発明による筋力訓練装置のスライド受金具のスライド状態を示す正面図
【図５】本発明による筋力訓練装置のスライド受金具部分の斜視図
【図６】本発明による筋力訓練装置の吊金具部分の斜視図
【図７】本発明による筋力訓練装置の吊ベルトの斜視図
【図８】本発明による筋力訓練の他の態様を示した斜視図
【図９】本発明による筋力訓練の他の態様を示した斜視図
【図１０】本発明による筋力訓練の他の態様を示した斜視図
【符号の説明】
【００３５】
１０…ベッド
１１…サイドレール
２０…フレーム
２１…支柱
２２…天棒
２３…取付パイプ
３０…スライド受金具
３１…固定部材
４０…Ｓカンフック
５０…上肢訓練用具
５１…滑車
５２…滑車ロープ
５３…Ｓカンフック
５４…吊ベルト
５５…自在木
５７…Ｓカンフック
【図１】
2006311874.tif 000003
【図２】
2006311874.tif 000004
【図３】
2006311874.tif 000005
【図４】
2006311874.tif 000006
【図５】
2006311874.tif 000007
【図６】
2006311874.tif 000008
【図７】
2006311874.tif 000009
【図８】
2006311874.tif 000010
【図９】
2006311874.tif 000011
【図１０】
2006311874.tif 000012